(57)【要約】【課題】通信障害の発生した位置を示す障害発生エリアマップを作成する。【解決手段】基地局１の位置情報取得部１ａは、無線端末３の位置情報を周期的に取得する。位置情報記憶部１ｂは、取得された位置情報を記憶装置１ｃに記憶する。通信障害検出部１ｄは、無線端末３の通信障害を検出する。送信部１ｅは、通信障害が検出された場合、通信障害が検出された無線端末３の記憶装置１ｃに記憶されている最新の位置情報を含むエリアマップ作成情報をエリアマップ作成装置２に送信する。エリアマップ作成装置２の受信部２ａは、基地局１から無線端末３の通信障害が発生したときの位置情報含むエリアマップ作成情報を受信する。エリアマップ作成部２ｂは、受信されたエリアマップ作成情報に含まれる位置情報を地図上にプロットし、通信障害の発生した位置を示す障害発生エリアマップを作成する。【選択図】図１
2011119976.tif 000002
【特許請求の範囲】
【請求項１】
無線端末と無線通信を行う基地局において、
前記無線端末の位置情報を周期的に取得する位置情報取得部と、
前記位置情報取得部によって取得された前記位置情報を記憶装置に記憶する位置情報記憶部と、
前記無線端末の通信障害を検出する通信障害検出部と、
前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、
を有することを特徴とする基地局。
【請求項２】
前記無線端末の通信品質を取得する通信品質取得部と、
所定の品質を満たさない前記通信品質の前記無線端末を抽出する無線端末抽出部と、をさらに有し、
前記位置情報取得部は、前記無線端末抽出部によって抽出された前記無線端末の前記位置情報を周期的に取得することを特徴とする請求項１記載の基地局。
【請求項３】
前記位置情報取得部は、前回取得した前記位置情報と今回取得した前記位置情報との差分または前記無線端末の前記通信品質に基づいて、前記位置情報を取得する周期を変更することを特徴とする請求項２記載の基地局。
【請求項４】
前記位置情報記憶部は、ＦＩＦＯ（First In First Out）方式によって複数の前記位置情報を前記記憶装置に記憶し、
前記記憶装置に記憶されている複数の前記位置情報に基づいて補間多項式により前記通信障害が検出されたときの前記無線端末の前記位置情報を推定する位置情報推定部をさらに有し、
前記送信部は、前記位置情報推定部によって推定された前記位置情報を含む前記エリアマップ作成情報を前記エリアマップ作成装置に送信することを特徴とする請求項２記載の基地局。
【請求項５】
基地局を制御する無線制御装置において、
無線端末の位置情報を周期的に取得する位置情報取得部と、
前記位置情報取得部によって取得された前記位置情報を記憶装置に記憶する位置情報記憶部と、
前記無線端末の通信障害を検出する通信障害検出部と、
前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、
を有することを特徴とする無線制御装置。
【請求項６】
無線制御装置を制御するコアネットワーク装置において、
無線端末の位置情報を周期的に取得する位置情報取得部と、
前記位置情報取得部によって取得された前記位置情報を記憶装置に記憶する位置情報記憶部と、
前記無線端末の通信障害を検出する通信障害検出部と、
前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、
を有することを特徴とするコアネットワーク装置。
【請求項７】
エリアマップを作成するエリアマップ作成装置において、
基地局、前記基地局を制御する無線制御装置、または前記無線制御装置を制御するコアネットワーク装置から無線端末の通信障害が発生したときの位置情報を含むエリアマップ作成情報を受信する受信部と、
前記受信部によって受信された前記エリアマップ作成情報に含まれる前記位置情報を地図上にプロットし、通信障害の発生した位置を示す障害発生エリアマップを作成するエリアマップ作成部と、
を有することを特徴とするエリアマップ作成装置。
【請求項８】
前記エリアマップ作成部によって作成された前記障害発生エリアマップを所定のブロックに分割したセルエリア調整マップを生成し、前記基地局のセルをプロットするセルエリア調整部をさらに有することを特徴とする請求項７記載のエリアマップ作成装置。
【発明の詳細な説明】
【技術分野】
【０００１】
本件は無線通信におけるエリアマップの作成に関する。
【背景技術】
【０００２】
無線通信システムでは、サービスエリアにおける通信品質を把握できるようにエリアマップを作成するものがある。エリアマップを作成する技術としては、例えば、次のような技術が知られている。
【０００３】
データベースサーバは、通信品質情報の数が所定閾値以下となるエリアを特定した測定エリア範囲情報を決定し、測定エリア範囲情報を含む測定要求を無線端末へ送信する。無線端末は、データベースサーバから受信した測定要求に含まれる測定エリア範囲情報に、当該無線端末自身の位置に基づく通信エリア情報が含まれているか否か判定する。無線端末は、判定が真である場合、現在位置情報および通信品質情報をデータベースサーバへ返信する。これにより、無線端末における通信品質情報の送信回数をできる限り削減し、ネットワーク全体に負荷をかけないようにする（例えば、特許文献１参照）。
【０００４】
また、別の例として、エリア診断装置は、基地局を経由して各移動端末の呼詳細情報を収集する。また、エリア診断装置は、複数の基地局に関し、少なくとも基地局の局番および位置情報を含む基地局情報ファイルを作成する。エリア診断装置は、これらの呼詳細情報および基地局情報ファイルから、各移動端末の呼品質、各移動端末近傍の複数の基地局の局番および信号伝搬時間情報を取得する。エリア診断装置は、各移動端末近傍の複数の基地局の局番情報および位置情報、並びに信号伝搬時間情報に基づき移動端末の位置を求める。エリア診断装置は、このようにして求めた移動端末の位置情報と呼詳細情報から求めた呼品質情報とを対応させて出力し、地図上にプロットする。呼品質などのパラメータは必要に応じてフィルタリングして地図上にプロットする。これにより、効率的にかつ実時間で各エリアにおける呼品質の分布の推定を可能にする（例えば、特許文献２参照）。
【先行技術文献】
【特許文献】
【０００５】
【特許文献１】特開２００８−３０６２４０号公報
【特許文献２】特開２００５−９４６３４号公報
【発明の概要】
【発明が解決しようとする課題】
【０００６】
しかし、従来の装置では、通信品質を示すエリアマップを作成しており、通信障害の発生位置を示すエリアマップを作成していなかった。
本件はこのような点に鑑みてなされたものであり、通信障害の発生位置を示すエリアマップを作成することができる基地局、無線制御装置、コアネットワーク装置、およびエリアマップ作成装置を提供することを目的とする。
【課題を解決するための手段】
【０００７】
上記課題を解決するために、無線端末と無線通信を行う基地局が提供される。この基地局は、前記無線端末の位置情報を周期的に取得する位置情報取得部と、前記位置情報取得部によって取得された前記位置情報を記憶装置に記憶する位置情報記憶部と、前記無線端末の通信障害を検出する通信障害検出部と、前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、を有する。
【０００８】
また、上記課題を解決するために、エリアマップを作成するエリアマップ作成装置が提供される。このエリアマップ作成装置は、基地局、前記基地局を制御する無線制御装置、または前記無線制御装置を制御するコアネットワーク装置から無線端末の通信障害が発生したときの位置情報を含むエリアマップ作成情報を受信する受信部と、前記受信部によって受信された前記エリアマップ作成情報に含まれる前記位置情報を地図上にプロットし、通信障害の発生した位置を示す障害発生エリアマップを作成するエリアマップ作成部と、を有する。
【発明の効果】
【０００９】
開示の基地局およびエリアマップ作成装置によれば、通信障害の発生した位置を示す障害発生エリアマップを作成することができる。
【図面の簡単な説明】
【００１０】
【図１】第１の実施の形態に係るエリアマップ作成システムを示した図である。
【図２】第２の実施の形態に係るエリアマップ作成システムを示した図である。
【図３】障害発生エリアマップの作成の概略を説明する図である。
【図４】障害発生エリアマップの作成の概略を説明するフローチャートである。
【図５】エリアマップ作成装置のブロック図である。
【図６】ｅＮｏｄｅＢのブロック図である。
【図７】無線端末のブロック図である。
【図８】通信障害が発生しない場合のエリアマップ作成システムのシーケンス図である。
【図９】通信障害が発生した場合のエリアマップ作成システムのシーケンス図である。
【図１０】障害発生エリアマップを示した図である。
【図１１】セルエリア調整マップを示した図のその１である。
【図１２】セルエリア調整マップを示した図のその２である。
【図１３】セルエリア調整のシーケンス図である。
【図１４】第３の実施の形態に係るｅＮｏｄｅＢのブロック図である。
【図１５】記憶装置のデータ構成例を示した図である。
【図１６】障害発生の位置推定を説明する図である。
【発明を実施するための形態】
【００１１】
以下、第１の実施の形態を、図面を参照して詳細に説明する。
図１は、第１の実施の形態に係るエリアマップ作成システムを示した図である。図１に示すように、エリアマップ作成システムは、基地局１、エリアマップ作成装置２、および無線端末３を有している。
【００１２】
基地局１は、位置情報取得部１ａ、位置情報記憶部１ｂ、記憶装置１ｃ、通信障害検出部１ｄ、および送信部１ｅを有している。
位置情報取得部１ａは、無線端末３の位置情報を周期的に取得する。
【００１３】
位置情報記憶部１ｂは、位置情報取得部１ａによって取得された位置情報を記憶装置１ｃに記憶する。
通信障害検出部１ｄは、無線端末３の通信障害を検出する。例えば、通信障害検出部１ｄは、無線端末３との通信断を検出する。
【００１４】
送信部１ｅは、通信障害検出部１ｄによって通信障害が検出された場合、通信障害が検出された無線端末３の、記憶装置１ｃに記憶されている最新の位置情報を含むエリアマップ作成情報をエリアマップ作成装置２に送信する。
【００１５】
エリアマップ作成装置２は、受信部２ａおよびエリアマップ作成部２ｂを有している。
受信部２ａは、基地局１の送信部１ｅから送信される位置情報含むエリアマップ作成情報を受信する。
【００１６】
エリアマップ作成部２ｂは、受信部２ａによって受信されたエリアマップ作成情報に含まれる位置情報を地図上にプロットし、通信障害の発生した位置を示す障害発生エリアマップを作成する。
【００１７】
このように、基地局１は、無線端末３の位置情報を周期的に取得し、記憶装置１ｃに記憶する。基地局１は、無線端末３の通信障害を検出した場合、記憶装置１ｃに記憶されている無線端末３の最新の位置情報を含むエリアマップ作成情報をエリアマップ作成装置２に送信する。エリアマップ作成装置２は、基地局１からエリアマップ作成情報を受信し、エリアマップ作成情報に含まれる位置情報を地図上にプロットする。
【００１８】
これにより、エリアマップ作成装置２に送信される位置情報は、無線端末３の通信障害が発生する直前の位置情報であり、通信障害が発生したときの無線端末３の位置情報とみなすことができ、エリアマップ作成装置２は、通信障害の発生した位置を示す障害発生エリアマップを作成することができる。
【００１９】
次に、第２の実施の形態を、図面を参照して詳細に説明する。
図２は、第２の実施の形態に係るエリアマップ作成システムを示した図である。図２に示すように、エリアマップ作成システムは、例えば、サーバであるエリアマップ作成装置１１、ＲＮＣ（Radio Network Controller）１２、ＢＴＳ（Base Transceiver Station）１３、ｅＮｏｄｅＢ（enhanced Node B）１４、および無線端末１５，１６を有している。
【００２０】
ＲＮＣ１２とＢＴＳ１３は、３Ｇ（the 3rd Generation）システムを形成し、ｅＮｏｄｅＢ１４は、ＬＴＥ（Long Term Evolution）システムを形成している。図２のエリアマップ作成システムは、３ＧシステムとＬＴＥシステムの２つのシステムを有している例を示しているが、一方のシステムのみを有していてもよい。なお、以下では、エリアマップ作成システムは、ＬＴＥシステムにおいてエリアマップを作成する場合について説明する。
【００２１】
図３は、障害発生エリアマップの作成の概略を説明する図である。図３には、図２に示したエリアマップ作成装置１１、ｅＮｏｄｅＢ１４、および無線端末１６が示してある。また、図３には、図２に示していないｅＮｏｄｅＢ２１が示してある。
【００２２】
まず、エリアマップ作成装置１１の運用者は、ｅＮｏｄｅＢ１４に対し、障害発生エリアマップ作成のための測定指示を行う。運用者は、障害発生エリアマップの測定指示の際、ｅＮｏｄｅＢ１４に対し、障害発生エリアマップを作成するための測定期間を指示する。例えば、運用者は、１時間、１日、または１週間等の測定期間を指示する。
【００２３】
ｅＮｏｄｅＢ１４は、エリアマップ作成装置１１からの測定指示を受けると、配下に属している全ての無線端末１６から通信品質を取得する。通信品質は、例えば、無線端末１６の送信電力やＢＬＥＲ（BLock Error Rate）値である。
【００２４】
ｅＮｏｄｅＢ１４は、所定の通信品質を満たしていない無線端末１６を抽出する。例えば、所定の閾値より大きい送信電力で無線通信をしている無線端末１６や所定の閾値より大きいＢＬＥＲ値の無線端末１６を抽出する。
【００２５】
ｅＮｏｄｅＢ１４は、所定の通信品質を満たしていない無線端末１６を抽出すると、図３（ａ）に示すように、抽出した無線端末１６に対し、周期的に位置情報を送信するように要求する。すなわち、ｅＮｏｄｅＢ１４は、通信障害を引き起こす可能性の高い通信品質の悪い無線端末１６に対して位置情報を送信するように要求する。
【００２６】
図３（ｂ）に示すように、位置情報の送信要求を受けた無線端末１６は、自分の位置情報を取得し、ｅＮｏｄｅＢ１４に送信する。例えば、無線端末１６は、自分の存在している位置をＧＰＳ（Global Positioning System）によって取得し、ｅＮｏｄｅＢ１４に送信する。これにより、ｅＮｏｄｅＢ１４は、通信障害を引き起こす可能性の高い無線端末１６の位置情報を取得することができる。
【００２７】
ｅＮｏｄｅＢ１４は、取得した位置情報をＲＡＭ（Random Access Memory）などの記憶装置に記憶する。ｅＮｏｄｅＢ１４は、取得した位置情報を無線端末ごとに記憶装置に記憶する。
【００２８】
ｅＮｏｄｅＢ１４は、上記の通信品質の取得、無線端末１６の抽出、抽出した無線端末１６の位置情報の取得、および取得した位置情報の記憶の処理を繰り返す。ｅＮｏｄｅＢ１４は、これらの処理を実行している間に、無線端末１６に通信障害が発生すると、記憶装置に記憶していた、通信障害の発生した無線端末１６の最新の位置情報を取得し、エリアマップ作成装置１１へ送信する。
【００２９】
例えば、図３（ｃ）に示すように、無線端末１６は、ｅＮｏｄｅＢ１４のセルからｅＮｏｄｅＢ２１のセルに移動するとする。無線端末１６は、ｅＮｏｄｅＢ１４のセルからｅＮｏｄｅＢ２１のセルに移動するとき、ｅＮｏｄｅＢ１４とＤＨＯ（Diversity Hand Over）の手続を行うが、ｅＮｏｄｅＢ１４のセルとｅＮｏｄｅＢ２１のセルが不連続であるとＤＨＯに失敗し、通信断の通信障害が発生する。
【００３０】
ｅＮｏｄｅＢ１４は、通信障害が発生すると、記憶装置に記憶していた無線端末１６の最新の位置情報を取得する。記憶装置に記憶されていた最新の位置情報は、無線端末１６の通信障害が発生する直前の位置情報であり、障害が発生したときの無線端末１６の位置情報とみなすことができる。すなわち、ｅＮｏｄｅＢ１４は、障害が発生したときの無線端末１６の位置情報を取得して、エリアマップ作成装置１１に送信することができる。なお、図３に示すバツ印は、記憶装置に記憶されていた無線端末１６の位置情報を示している。
【００３１】
また、ｅＮｏｄｅＢ１４は、通信障害が発生した障害要因を取得し、エリアマップ作成装置１１へ送信する。図３（ｃ）の例では、ｅＮｏｄｅＢ１４は、無線端末１６とのＤＨＯ手続中に、通信断の通信障害を受けるので、ＤＨＯ失敗と認識することができ、ＤＨＯ失敗という障害要因をエリアマップ作成装置１１に送信する。
【００３２】
ｅＮｏｄｅＢ１４は、エリアマップ作成装置１１から指定された測定期間、上記の処理を繰り返す。従って、エリアマップ作成装置１１では、例えば、図３（ｄ）のバツ印に示すように、無線端末１６の障害が発生した位置情報と障害要因とが得られる。
【００３３】
エリアマップ作成装置１１は、測定期間が満了すると、取得した位置情報に基づいて、障害発生エリアマップを作成する。また、エリアマップ作成装置１１は、例えば、ＤＨＯ失敗という障害要因に基づいて、ｅＮｏｄｅＢ１４とｅＮｏｄｅＢ２１のセルが連続していないことを認識することができる。
【００３４】
エリアマップ作成装置１１は、作成したエリアマップに基づいて、障害が発生しないようにｅＮｏｄｅＢ１４のセルエリアを調整する。例えば、エリアマップ作成装置１１は、ｅＮｏｄｅＢ１４とｅＮｏｄｅＢ２１のセルが連続するように、ｅＮｏｄｅＢ１４のセルが大きくなるようｅＮｏｄｅＢ１４を制御する。
【００３５】
なお、上記では、障害要因としてＤＨＯの失敗を例に説明したが、その他の障害要因としてスケルチ断（無線同期外れ）やＣＮ（Core Network）装置と無線端末の状態不一致、リソース不足（輻輳）、手順誤りなどがある。ｅＮｏｄｅＢ１４は、これらの障害要因を認識することができ、無線端末１６の位置情報とともにエリアマップ作成装置１１に送信することができる。
【００３６】
また、図３では、運用者は、ｅＮｏｄｅＢ１４に対してのみ障害発生エリアマップの測定指示を行っているが、複数のｅＮｏｄｅＢに対して障害発生エリアマップの測定指示を行うこともできる。
【００３７】
図４は、障害発生エリアマップの作成の概略を説明するフローチャートである。
〔ステップＳ１〕エリアマップ作成装置１１は、ｅＮｏｄｅＢ１４に対し、障害発生エリアマップ作成のための測定指示を行う。このとき、エリアマップ作成装置１１は、障害発生エリアマップを作成するための測定期間をｅＮｏｄｅＢ１４に対して指示する。
【００３８】
〔ステップＳ２〕ｅＮｏｄｅＢ１４は、エリアマップ作成装置１１から測定指示を受けると、配下に属している全ての無線端末１６の通信品質を取得する。
〔ステップＳ３〕ｅＮｏｄｅＢ１４は、所定の通信品質を満たしていない無線端末１６を抽出する。すなわち、ｅＮｏｄｅＢ１４は、通信障害の発生する可能性の高い無線端末１６を抽出する。
【００３９】
〔ステップＳ４〕ｅＮｏｄｅＢ１４は、抽出した無線端末１６から位置情報を受信し、記憶装置に記憶する。ｅＮｏｄｅＢ１４は、無線端末ごとに位置情報を上書きして記憶装置に記憶する。
【００４０】
〔ステップＳ５〕ｅＮｏｄｅＢ１４は、無線端末１６との通信に通信障害が発生したか判断する。ｅＮｏｄｅＢ１４は、通信障害が発生した場合、ステップＳ６へ進み、通信障害が発生していない場合、ステップＳ７へ進む。
【００４１】
〔ステップＳ６〕ｅＮｏｄｅＢ１４は、通信障害の障害要因を取得し、取得した障害要因と、記憶装置に記憶していた位置情報とを含むエリアマップ作成情報をエリアマップ作成装置１１に送信する。なお、記憶装置には、位置情報が上書きされて記憶されるので、ｅＮｏｄｅＢ１４は、通信障害が発生したとき、最新の位置情報をエリアマップ作成装置１１に送信することになる。
【００４２】
〔ステップＳ７〕ｅＮｏｄｅＢ１４は、エリアマップ作成装置１１から指示された測定期間が経過したか判断する。ｅＮｏｄｅＢ１４は、測定期間が経過していない場合、ステップＳ２へ進み、測定期間が経過している場合、ステップＳ８へ進む。
【００４３】
〔ステップＳ８〕エリアマップ作成装置１１は、ｅＮｏｄｅＢ１４から受信した位置情報に基づいて、障害発生エリアマップを作成する。エリアマップ作成装置１１は、作成した障害発生エリアマップに基づいて、障害が発生しないようにセルエリアを調整する。
【００４４】
図５は、エリアマップ作成装置のブロック図である。図５に示すように、エリアマップ作成装置１１は、測定指示部３１、受信部３２、エリアマップ作成部３３、およびセルエリア調整部３４を有している。
【００４５】
測定指示部３１は、運用者の操作に応じ、ｅＮｏｄｅＢ１４に対して障害発生エリアマップ作成のための測定指示を行う。このとき、測定指示部３１は、障害発生エリアマップを作成するための測定期間をｅＮｏｄｅＢ１４に対し指示する。
【００４６】
受信部３２は、ｅＮｏｄｅＢ１４から位置情報と障害要因とを含むエリアマップ作成情報を受信する。
エリアマップ作成部３３は、ｅＮｏｄｅＢ１４から測定完了の旨を受信し、ｅＮｏｄｅＢ１４に指示した測定期間が経過すると、受信部３２によって受信された位置情報に基づいて障害発生エリアマップを作成する。エリアマップ作成部３３は、受信された位置情報を地図上にプロットして障害発生エリアマップを作成する。
【００４７】
セルエリア調整部３４は、エリアマップ作成部３３によって作成された障害発生エリアマップに基づいて、無線端末１６に通信障害が起きないよう、ｅＮｏｄｅＢ１４のセルエリアを調整する。
【００４８】
例えば、セルエリア調整部３４は、作成された障害発生エリアマップを所定のブロック（小区間）に分割したセルエリア調整マップを生成する。セルエリア調整部３４は、生成したセルエリア調整マップの小区間内の通信障害頻度（小区間内にプロットされた位置情報の数）が所定の閾値を超えているか否か判断する。セルエリア調整部３４は、通信障害頻度が所定の閾値を超えている場合、セルエリア調整マップにｅＮｏｄｅＢ１４の形成しているセルをプロットする。セルエリア調整部３４は、セルをプロットしたセルエリア調整マップにおいて、通信障害頻度が所定の閾値を超えている小区間から一番近いセルを特定し、特定したセルがその小区間を含むように、ｅＮｏｄｅＢ１４を制御する。
【００４９】
図６は、ｅＮｏｄｅＢのブロック図である。図６に示すように、ｅＮｏｄｅＢ１４は、測定指示受信部４１、通信品質取得部４２、無線端末抽出部４３、位置情報取得部４４、位置情報記憶部４５、記憶装置４６、障害検出部４７、および送信部４８を有している。
【００５０】
測定指示受信部４１は、エリアマップ作成装置１１から障害発生エリアマップの測定指示を受信する。
通信品質取得部４２は、配下に属している全ての無線端末１６から通信品質を取得する。
【００５１】
無線端末抽出部４３は、所定の品質を満たさない通信品質の無線端末１６を抽出する。
位置情報取得部４４は、無線端末抽出部４３によって抽出された無線端末１６に対して、位置情報を送信するように周期的に要求する。また、位置情報取得部４４は、位置情報の送信要求に応じて無線端末１６が送信した位置情報を受信する。
【００５２】
また、位置情報取得部４４は、前回取得した位置情報と今回受信した位置情報との差分または無線端末１６の通信品質に基づいて、位置情報の送信要求の周期を変更する。
位置情報記憶部４５は、位置情報取得部４４が取得した無線端末１６の位置情報を記憶装置４６に記憶する。位置情報記憶部４５は、位置情報が取得された無線端末１６ごとに位置情報を上書きして記憶する。従って、位置情報記憶部４５には、無線端末１６ごとに最新の位置情報が記憶される。
【００５３】
障害検出部４７は、無線端末１６の通信障害を検出し、障害要因を取得する。
送信部４８は、障害検出部４７によって障害が検出された場合、通信障害が検出された無線端末１６の記憶装置４６に記憶されている最新の位置情報と、障害検出部４７によって取得された障害要因とを含むエリアマップ作成情報をエリアマップ作成装置１１に送信する。
【００５４】
図７は、無線端末のブロック図である。無線端末１６は、受信部５１、位置情報取得部５２、および送信部５３を有している。
受信部５１は、ｅＮｏｄｅＢ１４から位置情報の送信要求を受信する。
【００５５】
位置情報取得部５２は、受信部５１が位置情報の送信要求を受信すると、自分の位置情報を取得する。例えば、位置情報取得部５２は、ＧＰＳによって自分の存在している緯度および経度を取得する。
【００５６】
送信部５３は、位置情報取得部５２によって取得された位置情報をｅＮｏｄｅＢ１４に送信する。
図８は、通信障害が発生しない場合のエリアマップ作成システムのシーケンス図である。
【００５７】
〔ステップＳ１１〕エリアマップ作成装置１１の測定指示部３１は、ｅＮｏｄｅＢ１４に対して障害発生エリアマップの作成のための測定指示を行う。このとき、測定指示部３１は、運用者によって指示された測定期間をｅＮｏｄｅＢ１４に通知する。
【００５８】
〔ステップＳ１２〕ｅＮｏｄｅＢ１４の測定指示受信部４１は、エリアマップ作成装置１１から測定指示を受信する。測定指示受信部４１は、測定指示を受信すると、測定期間タイマαを起動し、測定指示とともに送信された測定期間より小さい値（以下で詳細に説明する）を測定期間タイマαに設定する。
【００５９】
〔ステップＳ１３〕ｅＮｏｄｅＢ１４の通信品質取得部４２は、配下に属している全ての端末の通信品質を取得する。例えば、通信品質取得部４２は、配下に属している全ての無線端末１６の送信電力やＢＬＥＲ値を取得する。
【００６０】
〔ステップＳ１４〕ｅＮｏｄｅＢ１４の無線端末抽出部４３は、通信品質取得部４２によって取得された通信品質に基づいて、所定の通信品質を満たさない無線端末１６を抽出する。
【００６１】
〔ステップＳ１５〕ｅＮｏｄｅＢ１４の位置情報取得部４４は、ステップＳ１４にて抽出された無線端末１６のそれぞれに対応して報告周期タイマβを起動する。
位置情報取得部４４は、前回抽出されていなかった無線端末１６が今回抽出された場合は、その無線端末１６の報告周期タイマβに初期値を設定する。例えば、位置情報取得部４４は、１０秒をカウントするように初期値の報告タイマ値を報告周期タイマβに設定する。
【００６２】
位置情報取得部４４は、以下で説明するステップＳ２３，Ｓ２４を経由した場合は、ステップＳ２３，Ｓ２４に基づく報告タイマ値を報告周期タイマβに設定する。
〔ステップＳ１６〕ｅＮｏｄｅＢ１４の位置情報取得部４４は、報告周期タイマβの満了を検知する。
【００６３】
〔ステップＳ１７〕ｅＮｏｄｅＢ１４の位置情報取得部４４は、無線端末抽出部４３によって抽出された、報告周期タイマβの満了した無線端末１６に対し、位置情報の送信要求を行う。位置情報取得部４４は、例えば、メジャーメントコントロール信号によって、位置情報の送信要求を行う。
【００６４】
〔ステップＳ１８〕無線端末１６の受信部５１は、ｅＮｏｄｅＢ１４から位置情報の送信要求を受信し、位置情報取得部５２は、自分の存在している位置情報を取得する。
〔ステップＳ１９〕無線端末１６の送信部５３は、位置情報取得部５２によって取得された位置情報をｅＮｏｄｅＢ１４に送信する。送信部５３は、例えば、メジャーメントレポート信号によって位置情報をｅＮｏｄｅＢ１４に送信する。
【００６５】
〔ステップＳ２０〕ｅＮｏｄｅＢ１４の位置情報取得部４４は、無線端末１６の位置情報を受信する。位置情報記憶部４５は、位置情報取得部４４によって受信された位置情報を記憶装置４６に記憶する。位置情報記憶部４５は、無線端末ごとに位置情報を上書きして記憶する。
【００６６】
〔ステップＳ２１〕ｅＮｏｄｅＢ１４の送信部４８は、測定期間タイマαが満了したか否か判断する。送信部４８は、測定期間タイマαが満了した場合、ステップＳ２５へ進む。送信部４８は、測定期間タイマαが満了していない場合、ステップＳ２２へ進む。
【００６７】
〔ステップＳ２２〕ｅＮｏｄｅＢ１４の位置情報取得部４４は、前回記憶装置４６に記憶されていた位置情報と、ステップＳ２０にて今回記憶装置４６に記憶された位置情報との差分が所定の閾値（以下、位置情報閾値）より小さいか否か判断する。また、位置情報取得部４４は、無線端末１６の通信品質が所定の閾値（以下、通信品質閾値）より小さい（通信品質が通信品質閾値の通信品質より良い）か否か判断する。
【００６８】
位置情報取得部４４は、位置情報の差分が位置情報閾値より小さい場合、または、通信品質が通信品質閾値の通信品質より良い場合、ステップＳ２３へ進む。位置情報取得部４４は、位置情報の差分が位置情報閾値以上の場合、または、通信品質が通信品質閾値の通信品質より悪い場合、ステップＳ２４へ進む。
【００６９】
〔ステップＳ２３〕ｅＮｏｄｅＢ１４の位置情報取得部５２は、ステップＳ１５にて報告周期タイマβに設定する報告タイマ値を大きくする。
〔ステップＳ２４〕ｅＮｏｄｅＢ１４の位置情報取得部５２は、ステップＳ１５にて報告周期タイマβに設定する報告タイマ値を小さくする。
【００７０】
〔ステップＳ２５〕ｅＮｏｄｅＢ１４の送信部４８は、測定完了をエリアマップ作成装置１１に送信する。
このように、位置情報取得部５２は、抽出された無線端末１６の移動距離が小さい場合、位置情報の報告頻度が少なくなるように報告タイマ値を大きくする。一方、抽出された無線端末１６の移動距離が大きい場合、位置情報の報告頻度が多くなるように報告タイマ値を小さくする。また、位置情報取得部５２は、抽出された無線端末１６の通信品質が良好な場合、位置情報の報告頻度が少なくなるように報告タイマ値を大きくする。一方、抽出された無線端末１６の通信品質が悪い場合、位置情報の報告頻度が多くなるように報告タイマ値を小さくする。
【００７１】
これにより、位置情報取得部５２は、通信障害が発生したとき、実際に通信障害が発生した位置により近い位置情報を取得することができる。また、報告頻度を少なくすることにより、システムの処理負担を軽減することができる。なお、位置情報閾値および通信品質閾値は、段階的に複数設け、それに対応して報告タイマ値を変更するようにしてもよい。
【００７２】
図９は、通信障害が発生した場合のエリアマップ作成システムのシーケンス図である。
〔ステップＳ３１〕無線端末１６、ｅＮｏｄｅＢ１４、およびエリアマップ作成装置１１が、図８に示した処理を行っているときに、無線端末１６に通信障害が発生したとする。
【００７３】
〔ステップＳ３２〕ｅＮｏｄｅＢ１４の障害検出部４７は、無線端末１６の通信障害を検出し、障害要因を取得する。
〔ステップＳ３３〕ｅＮｏｄｅＢ１４の送信部４８は、障害検出部４７の取得した障害要因と、記憶装置４６に記憶されている無線端末１６の位置情報とを含むエリアマップ作成情報をエリアマップ作成装置１１に送信（障害報告）する。
【００７４】
図１０は、障害発生エリアマップを示した図である。エリアマップ作成装置１１の受信部３２は、ｅＮｏｄｅＢ１４から通信障害が発生した無線端末１６の位置情報と障害要因とを含むエリアマップ作成情報を受信する。エリアマップ作成部３３は、受信部３２によって受信されたエリアマップ作成情報の位置情報に基づいて、地図上に障害発生場所を示し、図１０に示すような障害発生エリアマップを作成する。
【００７５】
図１１は、セルエリア調整マップを示した図のその１である。図１１には、ｅＮｏｄｅＢ１４のセルＡ，Ｂが示してある。セルＡは、図１１に示すように、ｘ軸（緯度）に対し、傾きθの方向に形成されている。図１１には、通信障害多発地域が示してある。
【００７６】
図１１に示すセルエリア調整マップは、図１０に示す障害発生エリアマップを小区間に分割し、ｅＮｏｄｅＢ１４の形成しているセルＡ，Ｂをプロットすることによって作成することができる。
【００７７】
例えば、エリアマップ作成装置１１のセルエリア調整部３４は、ｅＮｏｄｅＢ１４から、ｅＮｏｄｅＢ１４の位置情報、ｅＮｏｄｅＢ１４の形成しているセルＡ，Ｂの中心の位置情報を受信する。これにより、セルエリア調整部３４は、図１１のようにセルＡ，Ｂがどの方向にどのような大きさで形成されているかを算出することができる。セルエリア調整部３４は、小区間に分割した障害発生エリアマップに、算出したセルＡ，Ｂをプロットして、図１１に示すようなセルエリア調整マップを作成することができる。
【００７８】
なお、図１１に示す通信障害多発地域は、図１０で示した障害発生場所に対応する。また、図１１のｘ軸とｙ軸の交点は、ｅＮｏｄｅＢ１４の存在している位置である。
図１２は、セルエリア調整マップを示した図のその２である。エリアマップ作成装置１１のセルエリア調整部３４は、通信障害多発地域が解消されるように、ｅＮｏｄｅＢ１４のセルＡ，Ｂを調整する。例えば、セルエリア調整部３４は、ｅＮｏｄｅＢ１４のセルエリアが通信障害の多発地域を含むように、ｅＮｏｄｅＢ１４のセルエリアを調整する。具体的には、セルエリア調整部３４は、セルＡ，Ｂの方向、半径、またはチルト角を変更し、ｅＮｏｄｅＢ１４のセルエリアを調整する。
【００７９】
図１２の例では、セルエリア調整部３４は、通信障害の多発地域に最も近いセルＡが通信障害の多発地域を含むように、セルＡの方向をｘ軸（緯度）に対してθ−αの傾きになるようにｅＮｏｄｅＢ１４を制御している。または、セルエリア調整部３４は、通信障害の多発地域に最も近いセルＡが通信障害の多発地域を含むように、セルＡの半径を大きくなるようにｅＮｏｄｅＢ１４のセルエリアを調整することもできる。
【００８０】
図１３は、セルエリア調整のシーケンス図である。
〔ステップＳ４１〕エリアマップ作成装置１１の測定指示部３１は、測定期間タイマγを起動する。測定指示部３１は、運用者によって指示された測定期間を測定期間タイマγに設定する。
【００８１】
〔ステップＳ４２〕エリアマップ作成装置１１の測定指示部３１は、ｅＮｏｄｅＢ１４に対して障害発生エリアマップの作成のための測定指示を行う。このとき、測定指示部３１は、運用者によって指示された測定期間をｅＮｏｄｅＢ１４に通知する。なお、ステップＳ４２は、図８のステップＳ１１に対応する。
【００８２】
〔ステップＳ４３〕ｅＮｏｄｅＢ１４の測定指示受信部４１は、エリアマップ作成装置１１から測定指示を受信する。測定指示受信部４１は、測定指示を受信すると、測定期間タイマαを起動し、測定指示とともに送信された測定期間より小さい値を測定期間タイマαに設定する。
【００８３】
測定期間タイマαには、測定期間タイマγの測定期間より小さい値を設定する。これは、エリアマップ作成装置１１が測定期間タイマγの満了によりエリアマップの作成を開始する前に、ｅＮｏｄｅＢ１４が以下のステップＳ４８の測定完了をエリアマップ作成装置１１に返すようにするためである。なお、ステップＳ４３は、図８のステップＳ１２に対応する。
【００８４】
〔ステップＳ４４〕ｅＮｏｄｅＢ１４の配下の無線端末Ａに通信障害が発生したとする。ｅＮｏｄｅＢ１４の送信部４８は、障害検出部４７の取得した障害要因と、記憶装置４６に記憶されている無線端末Ａの位置情報とを含むエリアマップ作成情報をエリアマップ作成装置１１に送信する。
【００８５】
〔ステップＳ４５〕ｅＮｏｄｅＢ１４の配下の無線端末Ｂに通信障害が発生したとする。ｅＮｏｄｅＢ１４の送信部４８は、障害検出部４７の取得した障害要因と、記憶装置４６に記憶されている無線端末Ｂの位置情報とを含むエリアマップ作成情報をエリアマップ作成装置１１に送信する。
【００８６】
〔ステップＳ４６〕ｅＮｏｄｅＢ１４の配下の無線端末Ｃに通信障害が発生したとする。ｅＮｏｄｅＢ１４の送信部４８は、障害検出部４７の取得した障害要因と、記憶装置４６に記憶されている無線端末Ｃの位置情報とを含むエリアマップ作成情報をエリアマップ作成装置１１に送信する。
【００８７】
なお、ステップＳ４４〜Ｓ４６は、図９のステップＳ３３に対応する。
〔ステップＳ４７〕ｅＮｏｄｅＢ１４の送信部４８は、測定期間タイマαが満了したか否か判断する。送信部４８は、測定期間タイマαが満了した場合、ステップＳ４８へ進む。送信部４８は、測定期間タイマαが満了していない場合、ステップＳ４４へ進む。
【００８８】
〔ステップＳ４８〕ｅＮｏｄｅＢ１４の送信部４８は、測定完了をエリアマップ作成装置１１に送信する。なお、ステップＳ４８は、図８のステップＳ２５に対応する。
〔ステップＳ４９〕エリアマップ作成装置１１の測定期間タイマγは満了する。
【００８９】
〔ステップＳ５０〕エリアマップ作成装置１１のエリアマップ作成部３３は、ステップＳ４８によりｅＮｏｄｅＢ１４から測定完了の旨を受信し、ステップＳ４９にて測定期間タイマγが満了すると、エリアマップの作成を行う。例えば、エリアマップ作成部３３は、ｅＮｏｄｅＢ１４から受信したエリアマップ作成情報の位置情報に基づいて、図１０に示したように、地図上に障害発生場所をプロットする。
【００９０】
〔ステップＳ５１〕エリアマップ作成装置１１のセルエリア調整部３４は、エリアマップ作成部３３の作成したエリアマップを小区間に分割し、セルエリア調整マップを作成する。セルエリア調整部３４は、小区間ごとにおける通信障害の頻度（通信障害が起こった数）を計算する。
【００９１】
〔ステップＳ５２〕エリアマップ作成装置１１のセルエリア調整部３４は、小区間における通信障害頻度が所定の閾値を超えているか否か判断する。セルエリア調整部３４は、通信障害頻度が所定の閾値を超えている小区間を、図１１、図１２に示した通信障害多発地域と判断する。
【００９２】
セルエリア調整部３４は、小区間の通信障害頻度が所定の閾値を超えている場合、ステップＳ５３へ進む。セルエリア調整部３４は、小区間の通信障害頻度が所定の閾値を超えていない場合、処理を終了する。
【００９３】
〔ステップＳ５３〕エリアマップ作成装置１１のセルエリア調整部３４は、セルエリア調整マップにｅＮｏｄｅＢ１４の形成しているセルをプロットする。セルエリア調整部３４は、ｅＮｏｄｅＢ１４から、ｅＮｏｄｅＢ１４の位置、ｅＮｏｄｅＢ１４の形成しているセルの中心の位置情報を受信し、ｅＮｏｄｅＢ１４のセルがどの方向にどのような大きさで形成されているかを特定することができる。
【００９４】
〔ステップＳ５４〕エリアマップ作成装置１１のセルエリア調整部３４は、通信障害多発地域と一番近いセルを特定する。
〔ステップＳ５５〕エリアマップ作成装置１１のセルエリア調整部３４は、通信障害多発地域が特定したセルに含まれるようにｅＮｏｄｅＢ１４を制御する。
【００９５】
〔ステップＳ５６〕エリアマップ作成装置１１のセルエリア調整部３４は、ｅＮｏｄｅＢ１４に対し、セルの調整を指示する。
エリアマップ作成装置１１は、セルの調整指示を行うと再び、ステップＳ４１の処理へ進み、セル調整後における通信障害発生の位置情報を取得する。すなわち、エリアマップ作成装置１１は、フィードバック処理によって、小区間の通信障害頻度が所定の閾値を超えなくなるようにセル調整を行う。
【００９６】
このように、ｅＮｏｄｅＢ１４は、無線端末１６の位置情報を周期的に取得し、記憶装置４６に記憶する。ｅＮｏｄｅＢ１４は、無線端末１６の通信障害を検出したとき、記憶装置４６に記憶されている無線端末１６の最新の位置情報と障害要因とを含むエリアマップ作成情報をエリアマップ作成装置１１に送信する。エリアマップ作成装置１１は、ｅＮｏｄｅＢ１４からエリアマップ作成情報を受信し、エリアマップ作成情報に含まれる位置情報を地図上にプロットする。
【００９７】
これにより、エリアマップ作成装置１１に送信される位置情報は、無線端末１６の通信障害が発生する直前の位置情報であり、通信障害が発生したときの無線端末１６の位置情報とみなすことができ、エリアマップ作成装置１１は、通信障害の発生した位置を示す障害発生エリアマップを作成することができる。
【００９８】
また、ｅＮｏｄｅＢ１４は、抽出した無線端末１６の位置情報を取得する周期を変更するので、実際に通信障害が発生した位置により近い位置情報を取得することができる。また、システムの処理負担を軽減することができる。
【００９９】
また、エリアマップ作成装置１１は、ｅＮｏｄｅＢ１４から障害要因を受信する。従って、エリアマップ作成装置１１のエリアマップ作成部３３は、障害発生エリアマップに障害要因も表示することができる。これにより、運用者は容易に通信障害の発生した位置と障害要因を特定することができる。
【０１００】
また、ｅＮｏｄｅＢ１４の障害検出部４７は、通信障害の発生した時刻を取得し、送信部４８は、その時刻をエリアマップ作成情報に含めて送信することもできる。これにより、エリアマップ作成装置１１のエリアマップ作成部３３は、障害発生エリアマップに通信障害の発生した位置と発生時刻を表示することもできる。
【０１０１】
なお、ＲＮＣ１２またはＢＴＳ１３が、図６に示したｅＮｏｄｅＢ１４の機能を有していてもよい。この場合、エリアマップ作成装置１１は、ＲＣＮ１２またはＢＴＳ１３に対して、測定指示を出すことができ、ＲＮＣ１２またはＢＴＳ１３は、ｅＮｏｄｅＢ１４と同様に無線端末１５の位置情報を取得し、エリアマップ作成装置１１にエリアマップ作成情報を送信することができる。そして、エリアマップ作成装置１１は、ＲＮＣ１２またはＢＴＳ１３から受信したエリアマップ作成情報に基づいて、障害発生エリアマップを作成することができる。なお、ＲＮＣ１２は、ＢＴＳ１３を介して無線端末１５の位置情報を取得する。
【０１０２】
また、ＲＮＣ１２またはｅＮｏｄｅＢ１４の上位装置であり、これらを制御するＣＮ装置が、図６に示したｅＮｏｄｅＢ１４の機能を有していてもよい。この場合、エリアマップ作成装置１１は、ＣＮ装置に対して、測定指示を出すことができ、ＣＮ装置は、ｅＮｏｄｅＢ１４と同様に無線端末の位置情報を取得し、エリアマップ作成装置１１にエリアマップ作成情報を送信することができる。そして、エリアマップ作成装置１１は、ＣＮ装置から受信したエリアマップ作成情報に基づいて、障害発生エリアマップを作成することができる。なお、ＣＮ装置は、ＲＮＣ１２およびＢＴＳ１３を介してまたはｅＮｏｄｅＢ１４を介して無線端末１５，１６の位置情報を取得する。
【０１０３】
また、エリアマップ作成装置１１は、測定対象を指定することもできる。例えば、ＲＮＣ１２，ＢＴＳ１３、ｅＮｏｄｅＢ１４、およびＣＮ装置のいずれかに測定指示をすることができる。
【０１０４】
また、セルエリア調整は、オプションにしてもよい。例えば、エリアマップ作成装置１１のセルエリア調整部３４は、運用者の指示に応じてセルエリア調整マップを作成し、ｅＮｏｄｅＢ１４の制御を行うようにしてもよい。
【０１０５】
次に、第３の実施の形態を、図面を参照して詳細に説明する。第３の実施の形態では、ｅＮｏｄｅＢは、各無線端末における位置情報を記憶装置に複数記憶し、複数記憶した位置情報から、無線端末の通信障害が発生した位置を推定する。
【０１０６】
図１４は、第３の実施の形態に係るｅＮｏｄｅＢのブロック図である。図１４に示すように、ｅＮｏｄｅＢ１４は、位置情報記憶部６１、記憶装置６２、および位置情報推定部６３を有している。その他の機能は、図６と同様であり、その詳細な説明は省略する。
【０１０７】
位置情報記憶部６１は、位置情報取得部４４の取得した無線端末１６の位置情報を記憶装置６２に記憶する。位置情報記憶部６１は、位置情報が取得された無線端末１６ごとにＦＩＦＯ（First In First Out）方式で複数の位置情報を記憶装置６２に記憶する。
【０１０８】
図１５は、記憶装置のデータ構成例を示した図である。図１５には、無線端末Ａ〜Ｃの位置情報が複数記憶されている。無線端末Ａ〜Ｃは、無線端末抽出部４３によって抽出された無線端末である。
【０１０９】
位置情報記憶部６１は、位置情報取得部４４の取得した無線端末Ａ〜Ｃの位置情報をＦＩＦＯ方式で記憶装置６２に複数記憶する。図１５の例の場合、例えば、Ａ１，Ｂ１，Ｃ１が最も新しい位置情報であり、Ａｎ，Ｂｎ，Ｃｎが最も古い位置情報である。
【０１１０】
位置情報推定部６３は、障害検出部４７によって、無線端末Ａ〜Ｃの通信障害が検出された場合、記憶装置６２に記憶されている複数の位置情報から、無線端末Ａ〜Ｃの通信障害が発生した位置を推定する。位置情報推定部６３は、補間多項式を用いて、無線端末Ａ〜Ｃの通信障害が発生した位置を推定する。
【０１１１】
例えば、障害検出部４７によって、無線端末Ａの通信障害が検出されたとする。この場合、位置情報推定部６３は、ラグランジュ補間の補間多項式を用いて、記憶装置６２に記憶されている無線端末Ａの複数の位置情報から、無線端末Ａの通信障害の発生した位置を推定する。
【０１１２】
図１６は、障害発生の位置推定を説明する図である。図１６には、図１５で示した無線端末Ａの位置情報Ａ１〜Ａｎの緯度Ａ１１〜Ａ１ｎが示してある。位置情報推定部６３は、位置情報Ａ１〜Ａｎの緯度Ａ１１〜Ａ１ｎに基づいて補間多項式を求め、通信障害が発生したとき（時間Ｎ）の無線端末Ａの緯度を求める。同様に、位置情報推定部６３は、通信障害が発生したとき（時間Ｎ）の無線端末Ａの経度を求める。
【０１１３】
これにより、位置情報推定部６３は、無線端末Ａの通信障害が発生したときの位置情報を推定することができる。
なお、送信部４８は、障害検出部４７によって障害が検出された場合、位置情報推定部６３によって推定された無線端末Ａの位置情報と、障害検出部４７によって取得された障害要因とをエリアマップ作成装置１１に送信する。
【０１１４】
このように、ｅＮｏｄｅＢ１４は、複数の位置情報をＦＩＦＯ方式によって記憶装置６２に記憶し、補間多項式によって障害発生した位置を推定するようにした。これにより、通信障害が発生した実際の位置により近づいた障害発生エリアマップを作成することができる。
【０１１５】
なお、エリアマップ作成装置１１は、記憶装置６２に記憶する位置情報の数を指定することもできる。位置情報記憶部６１は、エリアマップ作成装置１１からの指示に応じた数の位置情報を記憶装置６２に記憶する。
【０１１６】
（付記１）  無線端末と無線通信を行う基地局において、
前記無線端末の位置情報を周期的に取得する位置情報取得部と、
前記位置情報取得部によって取得された前記位置情報を記憶装置に記憶する位置情報記憶部と、
前記無線端末の通信障害を検出する通信障害検出部と、
前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、
を有することを特徴とする基地局。
【０１１７】
（付記２）  前記無線端末の通信品質を取得する通信品質取得部と、
所定の品質を満たさない前記通信品質の前記無線端末を抽出する無線端末抽出部と、をさらに有し、
前記位置情報取得部は、前記無線端末抽出部によって抽出された前記無線端末の前記位置情報を周期的に取得することを特徴とする付記１記載の基地局。
【０１１８】
（付記３）  前記位置情報取得部は、前回取得した前記位置情報と今回取得した前記位置情報との差分または前記無線端末の前記通信品質に基づいて、前記位置情報を取得する周期を変更することを特徴とする付記２記載の基地局。
【０１１９】
（付記４）  前記位置情報記憶部は、ＦＩＦＯ（First In First Out）方式によって複数の前記位置情報を前記記憶装置に記憶し、
前記記憶装置に記憶されている複数の前記位置情報に基づいて補間多項式により前記通信障害が検出されたときの前記無線端末の前記位置情報を推定する位置情報推定部をさらに有し、
前記送信部は、前記位置情報推定部によって推定された前記位置情報を含む前記エリアマップ作成情報を前記エリアマップ作成装置に送信することを特徴とする付記２記載の基地局。
【０１２０】
（付記５）  基地局を制御する無線制御装置において、
無線端末の位置情報を周期的に取得する位置情報取得部と、
前記位置情報取得部によって取得された前記位置情報を記憶装置に記憶する位置情報記憶部と、
前記無線端末の通信障害を検出する通信障害検出部と、
前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、
を有することを特徴とする無線制御装置。
【０１２１】
（付記６）  無線制御装置を制御するコアネットワーク装置において、
無線端末の位置情報を周期的に取得する位置情報取得部と、
前記位置情報取得部によって取得された前記位置情報を記憶装置に記憶する位置情報記憶部と、
前記無線端末の通信障害を検出する通信障害検出部と、
前記通信障害検出部によって前記通信障害が検出された場合、前記通信障害が検出された前記無線端末の前記記憶装置に記憶されている最新の前記位置情報を含むエリアマップ作成情報をエリアマップ作成装置に送信する送信部と、
を有することを特徴とするコアネットワーク装置。
【０１２２】
（付記７）  エリアマップを作成するエリアマップ作成装置において、
基地局、前記基地局を制御する無線制御装置、または前記無線制御装置を制御するコアネットワーク装置から無線端末の通信障害が発生したときの位置情報を含むエリアマップ作成情報を受信する受信部と、
前記受信部によって受信された前記エリアマップ作成情報に含まれる前記位置情報を地図上にプロットし、通信障害の発生した位置を示す障害発生エリアマップを作成するエリアマップ作成部と、
を有することを特徴とするエリアマップ作成装置。
【０１２３】
（付記８）  前記エリアマップ作成部によって作成された前記障害発生エリアマップを所定のブロックに分割したセルエリア調整マップを生成し、前記基地局のセルをプロットするセルエリア調整部をさらに有することを特徴とする付記７記載のエリアマップ作成装置。
【０１２４】
（付記９）  前記セルエリア調整部は、前記ブロック内における通信障害頻度が所定の閾値を超えているか否か判断し、所定の閾値を超えている場合、前記基地局のセルをプロットして前記基地局のセルが所定の閾値を超えている前記通信障害頻度の前記ブロックを含むように前記基地局を制御することを特徴とする付記８記載のエリアマップ作成装置。
【０１２５】
（付記１０）  前記セルエリア調整部は、所定の閾値を超えている前記通信障害頻度の前記ブロックに最も近いセルが前記ブロックを含むように前記基地局を制御することを特徴とする付記９記載のエリアマップ作成装置。
【０１２６】
（付記１１）  前記通信障害頻度が所定の閾値を超えなくなるまで、前記基地局、前記無線制御装置、または前記コアネットワーク装置に前記無線端末の前記位置情報を送信するように指示する指示部をさらに有することを特徴とする付記９記載のエリアマップ作成装置。
【符号の説明】
【０１２７】
１  基地局
１ａ  位置情報取得部
１ｂ  位置情報記憶部
１ｃ  記憶装置
１ｄ  通信障害検出部
１ｅ  送信部
２  エリアマップ作成装置
２ａ  受信部
２ｂ  エリアマップ作成部
３  無線端末
【図１】
2011119976.tif 000003
【図２】
2011119976.tif 000004
【図３】
2011119976.tif 000005
【図４】
2011119976.tif 000006
【図５】
2011119976.tif 000007
【図６】
2011119976.tif 000008
【図７】
2011119976.tif 000009
【図８】
2011119976.tif 000010
【図９】
2011119976.tif 000011
【図１０】
2011119976.tif 000012
【図１１】
2011119976.tif 000013
【図１２】
2011119976.tif 000014
【図１３】
2011119976.tif 000015
【図１４】
2011119976.tif 000016
【図１５】
2011119976.tif 000017
【図１６】
2011119976.tif 000018